【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
被検眼に照射された測定光の戻り光と参照光との干渉光に基づいて前記被検眼の断層画像を撮影する眼科撮影装置であって、
前記被検眼の網膜領域及び硝子体領域を含む第１の断層画像を得るための第１の撮影モードと、前記第１の断層画像における前記硝子体領域よりも好適な前記硝子体領域を含む第２の断層画像を得るための第２の撮影モードであって、前記第１の撮影モードとは異なる第２の撮影モードとを含む複数の撮影モードのうちのいずれかの撮影モードを選択する選択手段と、
前記第１の撮影モードが選択された場合には前記第１の断層画像を表示部に表示する制御を行い、前記第２の撮影モードが選択された場合には前記第２の断層画像を前記表示部に表示する制御を行う制御手段と、
を有することを特徴とする眼科撮影装置。
【請求項２】
前記干渉光に基づいて取得された前記被検眼の複数の断層画像における画像群毎に重ね合わせることにより複数の合成画像を生成する生成手段を更に有し、
前記制御手段は、前記第１の撮影モードが選択された場合には前記第１の断層画像の動画像を前記表示部に表示する制御を行い、前記第２の撮影モードが選択された場合には前記第２の断層画像の動画像として前記生成された複数の合成画像を前記表示部に順次表示する制御を行うことを特徴とする請求項１に記載の眼科撮影装置。
【請求項３】
前記合成画像が生成される際に重ね合わせる断層画像の枚数を変更する枚数変更手段を更に有することを特徴とする請求項２に記載の眼科撮影装置。
【請求項４】
前記枚数変更手段は、前記合成画像の強度に応じて前記重ね合わせる断層画像の枚数を変更することを特徴とする請求項３に記載の眼科撮影装置。
【請求項５】
前記枚数変更手段は、前記合成画像における前記硝子体領域の強度に応じて前記重ね合わせる断層画像の枚数を変更することを特徴とする請求項３に記載の眼科撮影装置。
【請求項６】
前記生成手段は、前記第２の撮影モードの際に、前記参照光の光路長を調整するための光路長調整光学部の移動、前記測定光のフォーカスを調整するためのフォーカス調整光学部の移動、及び、前記被検眼の断層画像における強度を増加させるための強度増加操作部の操作のうちの少なくともいずれか１つを契機として、前記合成画像の生成を開始することを特徴とする請求項２乃至５のいずれか１項に記載の眼科撮影装置。
【請求項７】
前記生成手段は、前記第２の撮影モードが選択された場合に、前記第１の断層画像よりも強度が高くなるように前記第２の断層画像として前記合成画像を順次生成することを特徴とする請求項２乃至６のいずれか１項に記載の眼科撮影装置。
【請求項８】
前記生成手段は、前記第１の撮影モードが選択された場合よりも前記第２の撮影モードが選択された場合の方が、前記被検眼の断層画像の重ね合わせを行う前の位置合わせの基準となる領域をコヒーレンスゲート側に設定し、前記第２の撮影モードが選択された場合には、前記設定された領域に基づいて前記複数の断層画像の位置合わせを行い、前記位置合わせが行われた複数の断層画像を重ね合わせることにより前記合成画像を順次生成することを特徴とする請求項２乃至７のいずれか１項に記載の眼科撮影装置。
【請求項９】
前記第２の断層画像における前記硝子体領域の強度が前記第１の断層画像における前記硝子体領域の強度よりも高くなるように、前記第２の断層画像を生成する生成手段を更に有することを特徴とする請求項１に記載の眼科撮影装置。
【請求項１０】
前記参照光の光路長を調整するための光路長調整光学部を更に有し、
前記制御手段は、前記第１の撮影モードが選択された場合よりも前記第２の撮影モードが選択された場合の方が、前記参照光の光路長が短くなるように、前記光路長調整光学部を移動する制御を行うことを特徴とする請求項１乃至９のいずれか１項に記載の眼科撮影装置。
【請求項１１】
前記測定光のフォーカスを調整するためのフォーカス調整光学部を更に有し、
前記制御手段は、前記第１の撮影モードが選択された場合よりも前記第２の撮影モードが選択された場合の方が、前記測定光のフォーカスの位置が前記眼科撮影装置に近くなるように、前記フォーカス調整光学部を移動する制御を行うことを特徴とする請求項１乃至１０のいずれか１項に記載の眼科撮影装置。
【請求項１２】
前記被検眼の断層画像における強度を変更する強度変更手段を更に有し、
前記制御手段は、前記第１の撮影モードが選択された場合には、前記強度変更手段による強度の変更が行われていない断層画像を前記第１の断層画像として前記表示部に表示する制御を行い、前記第２の撮影モードが選択された場合には、前記強度変更手段により強度が上げられた断層画像を前記第２の断層画像として前記表示部に表示する制御を行うことを特徴とする請求項１乃至１１のいずれか１項に記載の眼科撮影装置。
【請求項１３】
前記制御手段は、前記選択された撮影モードに応じて撮影された断層画像が前記表示部に表示されている際に、前記選択された撮影モードに応じて前記眼科撮影装置に設けられた調整光学部を移動する制御を行うことを特徴とする請求項１乃至１２のいずれか１項に記載の眼科撮影装置。
【請求項１４】
前記制御手段は、前記第１の撮影モードが選択された場合に、前記第１の断層画像を動画像として前記表示部に表示する制御を行い、前記第２の撮影モードが選択された場合に、前記第２の断層画像を動画像として前記表示部に表示する制御を行うことを特徴とする請求項１乃至１３のいずれか１項に記載の眼科撮影装置。
【請求項１５】
被検眼に照射された測定光の戻り光と参照光との干渉光に基づいて前記被検眼の断層画像を撮影する眼科撮影装置の制御方法であって、
前記被検眼の網膜領域及び硝子体領域を含む第１の断層画像を得るための第１の撮影モードと、前記第１の断層画像における前記硝子体領域よりも好適な前記硝子体領域を含む第２の断層画像を得るための第２の撮影モードであって、前記第１の撮影モードとは異なる第２の撮影モードとを含む複数の撮影モードのうちのいずれかの撮影モードを選択する選択ステップと、
前記第１の撮影モードが選択された場合には前記第１の断層画像を表示部に表示する制御を行い、前記第２の撮影モードが選択された場合には前記第２の断層画像を前記表示部に表示する制御を行う制御ステップと、
を有することを特徴とする眼科撮影装置の制御方法。
【請求項１６】
請求項１５に記載の眼科撮影装置の制御方法の各ステップをコンピュータに実行させることを特徴とするプログラム。
【手続補正２】
【補正対象書類名】明細書
【補正対象項目名】０００７
【補正方法】変更
【補正の内容】
【０００７】
本発明の眼科撮影装置の一つは、被検眼に照射された測定光の戻り光と参照光との干渉光に基づいて前記被検眼の断層画像を撮影する眼科撮影装置であって、前記被検眼の網膜領域及び硝子体領域を含む第１の断層画像を得るための第１の撮影モードと、前記第１の断層画像における前記硝子体領域よりも好適な前記硝子体領域を含む第２の断層画像を得るための第２の撮影モードであって、前記第１の撮影モードとは異なる第２の撮影モードとを含む複数の撮影モードのうちのいずれかの撮影モードを選択する選択手段と、前記第１の撮影モードが選択された場合には前記第１の断層画像を表示部に表示する制御を行い、前記第２の撮影モードが選択された場合には前記第２の断層画像を前記表示部に表示する制御を行う制御手段と、を有する。
また、本発明は、上述した眼科撮影装置の制御方法、並びに、当該眼科撮影装置の制御方法をコンピュータに実行させるためのプログラムを含む。